(57)【特許請求の範囲】
【請求項１】
表裏の平面板部と、前記表裏の平面板部の間に設けられる複数の隔壁部とを有し、前記表裏の平面板部と一対の隣接する隔壁部とで囲われて一方向に配列された複数の電線挿通孔が形成された配索材と、前記配索材の前記電線挿通孔に挿通されて並列された複数本の電線と、を備えるワイヤハーネスであって、
前記配索材は、前記電線挿通孔の形成方向に沿って前記電線挿通孔の配列方向と交差する方向へ屈曲された第１屈曲部を備え、
前記第１屈曲部における前記電線挿通孔の形成方向の一側端から中途位置までの範囲が前記電線挿通孔の形成方向に沿って前記電線挿通孔の配列方向に分割されており、
前記配索材は、前記分割された一方の部分を前記電線挿通孔の配列方向に沿って前記電線挿通孔の形成方向と交差する方向へ屈曲させた第２屈曲部を備える
ことを特徴とするワイヤハーネス。
【請求項２】
前記配索材は、弾性変形可能な軟質樹脂材料から成形されている
ことを特徴とする請求項１に記載のワイヤハーネス。
【請求項３】
前記電線挿通孔が幅方向に分割され、これらの電線挿通孔を形成する前記隔壁部同士が前記電線挿通孔に沿う連結部によって連結されている
ことを特徴とする請求項１または請求項２に記載のワイヤハーネス。
【請求項４】
前記電線が並列に一体化されたフラットケーブルの間に、前記配索材が設けられ、前記フラットケーブルの間の電線が前記配索材の電線挿通孔に挿通されている
ことを特徴とする請求項２または請求項３に記載のワイヤハーネス。
【請求項５】
前記配索材は、硬質樹脂材料から成形され、前記屈曲部となる箇所に、複数の切り込みが間隔をあけて形成された屈曲可能部を有する
ことを特徴とする請求項１に記載のワイヤハーネス。
【請求項６】
前記切り込みは、屈曲方向の外側に形成されている
ことを特徴とする請求項５に記載のワイヤハーネス。
【請求項７】
前記切り込みは、屈曲方向の内側に形成され、屈曲方向の外側へ向かって次第に窄まる断面形状を有している
ことを特徴とする請求項５に記載のワイヤハーネス。
【発明の詳細な説明】
【技術分野】
【０００１】
本発明は、複数本の電線を並列に配置させたワイヤハーネスに関する。
【背景技術】
【０００２】
ワイヤハーネスとして、複数本の電線を並列に配置させて粘着テープや樹脂材によって一体化させたものや、製造時に一体成形されたフラットケーブルが知られている（例えば、特許文献１，２参照）。
【先行技術文献】
【特許文献】
【０００３】
【特許文献１】特開２０００−１００２５５号公報
【特許文献２】特開平９−１１５３４１号公報
【発明の概要】
【発明が解決しようとする課題】
【０００４】
ところで、ワイヤハーネスは、例えば、凹凸を有する複雑形状の配索面に設置されることがある。
しかし、複数本の電線を並列状態に一体化させた平面形状のワイヤハーネスは、平面で直線的な場所以外の凹凸があるような複雑形状の配索面への配線が困難であり、配線場所が限定されてしまう。
【０００５】
本発明は、上述した事情に鑑みてなされたものであり、その目的は、配線場所の形状に対応して容易に配線することが可能な並列に配列された複数本の電線を備えたワイヤハーネスを提供することにある。
【課題を解決するための手段】
【０００６】
前述した目的を達成するために、本発明に係るワイヤハーネスは、下記（１）〜（７）を特徴としている。
（１）  表裏の平面板部と、前記表裏の平面板部の間に設けられる複数の隔壁部とを有し、前記表裏の平面板部と一対の隣接する隔壁部とで囲われて一方向に配列された複数の電線挿通孔が形成された配索材と、前記配索材の前記電線挿通孔に挿通されて並列された複数本の電線と、を備えるワイヤハーネスであって、
前記配索材は、前記電線挿通孔の形成方向に沿って前記電線挿通孔の配列方向と交差する方向へ屈曲された第１屈曲部を備え、
前記第１屈曲部における前記電線挿通孔の形成方向の一側端から中途位置までの範囲が前記電線挿通孔の形成方向に沿って前記電線挿通孔の配列方向に分割されており、
前記配索材は、前記分割された一方の部分を前記電線挿通孔の配列方向に沿って前記電線挿通孔の形成方向と交差する方向へ屈曲させた第２屈曲部を備える
ことを特徴とするワイヤハーネス。
（２）  前記配索材は、弾性変形可能な軟質樹脂材料から成形されている
ことを特徴とする（１）に記載のワイヤハーネス。
（３）  前記電線挿通孔が幅方向に分割され、これらの電線挿通孔を形成する前記隔壁部同士が前記電線挿通孔に沿う連結部によって連結されている
ことを特徴とする（１）または（２）に記載のワイヤハーネス。
（４）  前記電線が並列に一体化されたフラットケーブルの間に、前記配索材が設けられ、前記フラットケーブルの間の電線が前記配索材の電線挿通孔に挿通されている
ことを特徴とする（２）または（３）に記載のワイヤハーネス。
（５）  前記配索材は、硬質樹脂材料から成形され、前記屈曲部となる箇所に、複数の切り込みが間隔をあけて形成された屈曲可能部を有する
ことを特徴とする（１）に記載のワイヤハーネス。
（６）  前記切り込みは、屈曲方向の外側に形成されている
ことを特徴とする（５）に記載のワイヤハーネス。
（７）  前記切り込みは、屈曲方向の内側に形成され、屈曲方向の外側へ向かって次第に窄まる断面形状を有している
ことを特徴とする（５）に記載のワイヤハーネス。
【０００７】
上記（１）の構成のワイヤハーネスでは、配索面の表面形状に追従して屈曲された屈曲部が配索材に形成されるので、例えば、凹凸を有する複雑形状の配索面に対しても容易に設置することができる。これにより、専用設備を用いて煩雑な作業で予め屈曲させることなく、平面以外の複雑形状の配索面に容易に配線することができる。
また、配索材によって電線を保護して良好な品質を維持させることができ、しかも、電線を保護するための外装部材などを不要にでき、軽量化が図れる。
また、粘着テープを貼り付けて電線を配列させたり、配列させた電線を樹脂で固定したものと比較して容易に解体することができる。
更に、上記（１）の構成のワイヤハーネスでは、配索材が電線挿通孔に沿って電線挿通孔の配列方向と交差する方向へ屈曲された屈曲部を有することで、電線の配列を配索面の形状に沿って配列させることができる。また、配索材が電線挿通孔の配列方向に沿って電線挿通孔の形成方向と交差する方向へ屈曲された屈曲部を有することで、電線の経路を配索面に沿わせることができ、また、電線の経路を変更して分岐させることもできる。これにより、配索面の形状や配線経路等の状況に合わせた柔軟な配索が可能である。
上記（２）の構成のワイヤハーネスでは、配索材を配索面に設置することで、配索材を配索面の形状に追従させて弾性変形させ、無理なく設置させることができる。しかも、平面板部や隔壁部が弾性変形することで、電線挿通孔の形状が変形可能であるので、電線挿通孔へ挿通させる電線の線種、線径、配置などの組み合わせの自由度を高めることができ、設計の自由度、生産性の向上が図れる。
上記（３）の構成のワイヤハーネスでは、連結部で弾性変形させることで、配索材を電線挿通孔の形成方向に沿って電線挿通孔の配列方向と交差する方向へさらに容易に屈曲させることができる。
上記（４）の構成のワイヤハーネスでは、例えば、フラットケーブルの間で配索材を弾性変形させて屈曲させることで、各フラットケーブルの配索面に段差を有しているような複雑形状の場所にも容易に配索することができる。また、フラットケーブルの間の配索材を弾性変形させて捻ることで、各フラットケーブルの配索面が水平面及び垂直面であるような複雑形状の場所にも容易に配索することができる。
上記（５）の構成のワイヤハーネスでは、配索材を配索面に設置することで、配索材の屈曲可能部を配索面の形状に追従させて屈曲させ、無理なく設置させることができる。
上記（６）の構成のワイヤハーネスでは、屈曲可能部において、切り込みの反対側を内側として容易に屈曲させて配索面に沿って設置させることができる。
上記（７）の構成のワイヤハーネスでは、屈曲可能部において、切り込み側を内側として容易に屈曲させて配索面に沿って設置させることができる。
【発明の効果】
【０００８】
本発明によれば、配線場所の形状に対応して容易に配線することが可能な並列に配列された複数本の電線を備えたワイヤハーネスを提供できる。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】図１は、第１実施形態に係るワイヤハーネスの斜視図である。
【図２】図２は、第１実施形態に係るワイヤハーネスの断面図である。
【図３】図３は、ワイヤハーネスを構成する配索材の断面図である。
【図４】図４は、ワイヤハーネスの構成を説明する図であって、図４（ａ）は端部における斜視図、図４（ｂ）は断面図である。
【図５】図５は、第１実施形態に係るワイヤハーネスの配線工程を示す斜視図である。
【図６】図６は、第１実施形態に係るワイヤハーネスの配線例を示す断面図である。
【図７】図７は、第１実施形態に係るワイヤハーネスの変形例を示す断面図である。
【図８】図８は、配索材の他の例を説明する図であって、図８（ａ）はワイヤハーネスの斜視図、図８（ｂ）は配索材の断面図である。
【図９】図９は、フラットケーブルを備えたワイヤハーネスの例を示す図であって、図９（ａ）及び図９（ｂ）は、それぞれ斜視図である。
【図１０】図１０は、第２実施形態に係るワイヤハーネスの斜視図である。
【図１１】図１１は、配索材を示す図であって、図１１（ａ）は屈曲前の断面図、図１１（ｂ）は屈曲時の断面図である。
【図１２】図１２は、配索材を示す図であって、図１２（ａ）は屈曲前の断面図、図１２（ｂ）は屈曲時の断面図である。
【図１３】図１３は、第２実施形態に係るワイヤハーネスの変形例を示す断面図である。
【発明を実施するための形態】
【００１１】
本発明に関する具体的な実施形態について、各図を参照しながら以下に説明する。
（第１実施形態）
まず、第１実施形態に係るワイヤハーネスについて説明する。
図１は、第１実施形態に係るワイヤハーネスの斜視図である。図２は、第１実施形態に係るワイヤハーネスの断面図である。
【００１２】
図１及び図２に示すように、ワイヤハーネスＷは、配索材１１Ｓと、複数本の電線２１とから構成されている。電線２１は、銅または銅合金等からなる導体を外被で被覆した絶縁電線からなる。
【００１３】
図３は、ワイヤハーネスを構成する配索材の断面図である。図４は、ワイヤハーネスの構成を説明する図であって、図４（ａ）は端部における斜視図、図４（ｂ）は断面図である。図５は、第１実施形態に係るワイヤハーネスの配線工程を示す斜視図である。図６は、第１実施形態に係るワイヤハーネスの配線例を示す断面図である。
【００１４】
図３に示すように、配索材１１Ｓは、表裏の平面板部１２と、これらの平面板部１２の間に設けられた複数の隔壁部１３とを有している。この配索材１１Ｓは、例えば、ゴムやポリエチレン製のフィルム、薄い板状の軟質樹脂材料から成形されたもので、押出成形によって成形されている。隔壁部１３は、一方向へ向かって所定間隔をあけて配列されている。これにより、この配索材１１Ｓには、表裏の平面板部１２と各隔壁部１３とで囲われて一方向に配列された複数の電線挿通孔１４が所定方向に沿って形成されている。また、所定の電線挿通孔１４は、隔壁部１３の間隔を大きくすることで、幅寸法が大きくされた幅広電線挿通孔１４ａとされている。
【００１５】
図４（ａ）（ｂ）に示すように、配索材１１Ｓには、その電線挿通孔１４に電線２１が挿通されている。これにより、複数本の電線２１が配索材１１Ｓによって配列された状態でまとめられてワイヤハーネスＷとされている。
【００１６】
幅広電線挿通孔１４ａには、他の電線挿通孔１４に挿通させる電線２１よりも大径の電線２１ａが挿通される。この大径の電線２１ａとしては、配索材１１Ｓの高さ寸法よりも径寸法が大きな電線である。配索材１１Ｓが軟質樹脂材料から成形されていることから、配索材１１Ｓの幅広電線挿通孔１４ａに大径の電線２１ａを挿入すると、平面板部１２が弾性変形する。これにより、大径の電線２１ａは、幅広電線挿通孔１４ａへ無理なく挿通される。このように、この配索材１１Ｓでは、幅広電線挿通孔１４ａを形成することで、他の部分に対して厚みを変えることなく大径の電線２１ａを挿通させることができる。また、この幅広電線挿通孔１４ａには、複数本の電線２１をまとめて挿通することできる。
【００１７】
図１及び図２に示すように、ワイヤハーネスＷは、角部１及び隅部２を有する複雑形状の配索面Ａに設置されている。そして、ワイヤハーネスＷは、配索面Ａの角部１及び隅部２において屈曲されている。このワイヤハーネスＷの屈曲部Ｋ１では、配索材１１Ｓは、電線挿通孔１４の形成方向である長手方向に沿って、電線挿通孔１４の配列方向である幅方向と交差する方向へ屈曲されている。
【００１８】
このワイヤハーネスＷを配索面Ａに配索するには、まず、図５に示すように、平面形状の配索材１１Ｓに対して、その電線挿通孔１４に電線２１を挿通させ、配索材１１Ｓと電線２１とからなるワイヤハーネスＷとする。次に、このワイヤハーネスＷを、配索面Ａに設置させる。すると、ワイヤハーネスＷは、配索材１１Ｓが弾性変形して配索面Ａの角部１及び隅部２の形状に合わせて長手方向に沿って幅方向と交差する方向へ屈曲されて屈曲部Ｋ１が形成される。これにより、ワイヤハーネスＷは、角部１及び隅部２を有する複雑形状の配索面Ａに沿って設置される。なお、電線挿通孔１４には、予め圧着端子２２が接続された電線２１を挿通することができ、その後の電線２１の端末加工を省くことができる。
【００１９】
また、このワイヤハーネスＷによれば、図６に示すように、配索材１１Ｓを円弧状に屈曲させることで、断面視円形状の配索面Ａに対しても容易に設置することができる。
【００２０】
なお、ワイヤハーネスＷは、配索材１１Ｓを長手方向に沿って幅方向と交差する方向へ屈曲させるだけでなく、幅方向に沿って長手方向と交差する方向に屈曲させることも可能である。
【００２１】
図７は、第１実施形態に係るワイヤハーネスの変形例を示す断面図である。図８は、配索材の他の例を説明する図であって、図８（ａ）はワイヤハーネスの斜視図、図８（ｂ）は配索材の断面図である。
【００２２】
図７に示すように、このワイヤハーネスＷは、配索材１１Ｓを長手方向に沿って幅方向と交差する方向へ屈曲させることで、屈曲部Ｋ１が形成されている。また、配索材１１Ｓは、その端部における一部が長手方向に沿って切断されて分割されており、分割された一方を、幅方向に沿って長手方向と交差する方向へ屈曲させることで、屈曲部Ｋ２が形成されている。これにより、このワイヤハーネスＷでは、電線２１の配線の経路が電線２１の配列方向と交差する方向へ変更されている。
【００２３】
なお、図８（ａ）（ｂ）に示すように、配索材１１Ｓとしては、各電線挿通孔１４が幅方向にそれぞれ分割され、各電線挿通孔１４を形成する隔壁部１３同士がブリッジ部（連結部）１５によって長手方向に連結されたものでも良い。この配索材１１Ｓによれば、長手方向に沿って幅方向と交差する方向へ屈曲させる際に、ブリッジ部１５が弾性変形して曲がるため、さらに容易に屈曲させることが可能となる。したがって、複雑形状の配索面Ａに対して配索材１１Ｓを容易にかつ無理なく設置させることができる。
【００２４】
このように、第１実施形態に係るワイヤハーネスＷによれば、配索面Ａの表面形状に追従して屈曲された屈曲部Ｋ１，Ｋ２が配索材１１Ｓに形成されるので、例えば、角部１や隅部２を有するような凹凸を有する複雑形状の配索面Ａに対しても容易に設置することができる。これにより、専用設備を用いて煩雑な作業で予め屈曲させることなく、平面以外の複雑形状の配索面Ａに容易に配線することができる。
【００２５】
また、配索材１１Ｓによって電線２１を保護して良好な品質を維持させることができ、しかも、電線２１を保護するための外装部材などを不要にでき、軽量化が図れる。また、粘着テープを貼り付けて電線２１を配列させたり、配列させた電線２１を樹脂で固定したものと比較して容易に解体することができる。
【００２６】
しかも、配索材１１Ｓが長手方向に沿って幅方向と交差する方向へ屈曲された屈曲部Ｋ１を有することで、電線２１の配列を配索面Ａの形状に沿って配列させることができる。また、配索材１１Ｓが幅方向に沿って長手方向と交差する方向へ屈曲された屈曲部Ｋ２を有することで、電線２１の経路を配索面Ａに沿わせることができ、また、電線２１の経路を配列と交差する方向へ変更して分岐させることもできる。これにより、配索面Ａの形状や配線経路等の状況に合わせた柔軟な配索が可能である。
【００２７】
特に、配索材１１Ｓが弾性変形可能な軟質樹脂材料から成形されているので、配索材１１Ｓを配索面Ａに設置することで、配索材１１Ｓを配索面Ａの形状に追従させて弾性変形させ、無理なく設置させることができる。しかも、平面板部１２や隔壁部１３が弾性変形することで、電線２１を挿通させる電線挿通孔１４の形状が変形可能であるので、配索材１１Ｓの電線挿通孔１４へ挿通させる電線２１の線種、線径、配置などの組み合わせの自由度を高めることができ、設計の自由度、生産性の向上が図れる。
【００２８】
また、電線挿通孔１４を形成する隔壁部１３同士が長手方向に沿うブリッジ部１５によって連結された配索材１１Ｓでは、ブリッジ部１５で弾性変形させることで、配索材１１Ｓを長手方向に沿って幅方向と交差する方向へさらに容易に屈曲させることができる。
【００２９】
なお、配索材１１Ｓは、押出成形で成形されるので、安価に製造できるとともに、押出成形時の金型形状を変更することで、電線挿通孔１４の形状、大きさを容易に変更して電線２１のサイズ及びその組み合わせにも柔軟に対応することができ、また、ブリッジ部１５の有無等を容易に選択することができる。また、押し出した後に切断して使用するので、長さを自由に設定できる。
【００３０】
また、このワイヤハーネスＷは、硬質のフラットケーブルと軟質のフラットケーブルと組み合わせても良い。
図９は、フラットケーブルを備えたワイヤハーネスの例を示す図であって、図９（ａ）及び図９（ｂ）は、それぞれ斜視図である。
【００３１】
図９（ａ）に示すように、このワイヤハーネスＷは、軟質樹脂材料からなる配索材１１Ｓが設けられた部分の両端側に平面形状のフラットケーブル３１を有している。このフラットケーブル３１は、例えば、硬質樹脂材料からなる配索材３２を有し、この配索材３２で電線２１が並列されて一体化されている。
【００３２】
このワイヤハーネスＷによれば、配索材によってフラットケーブル３１の間に、軟質樹脂材料からなる配索材１１Ｓが設けられた構造であるので、フラットケーブル３１同士を異なる位置の配索面に設置することができる。
【００３３】
例えば、フラットケーブル３１の間で配索材１１Ｓを弾性変形させて屈曲させることで、各フラットケーブル３１の配索面に段差を有しているような複雑形状の場所にも容易に配索することができる。
【００３４】
また、図９（ｂ）に示すように、このワイヤハーネスＷでは、フラットケーブル３１の間の配索材１１Ｓを弾性変形させて捻ることも可能である。これにより、例えば、フラットケーブル３１の間で配索材１１Ｓを弾性変形させて捻ることで、各フラットケーブル３１の配索面が水平面及び垂直面であるような複雑形状の場所にも容易に配索することができる。
【００３５】
（第２実施形態）
次に、第２実施形態に係るワイヤハーネスについて説明する。
なお、第１実施形態と同一構成部分は同一符号を付して説明を省略する。
図１０は、第２実施形態に係るワイヤハーネスの斜視図である。図１１は、配索材を示す図であって、図１１（ａ）は屈曲前の断面図、図１１（ｂ）は屈曲時の断面図である。図１２は、配索材を示す図であって、図１２（ａ）は屈曲前の断面図、図１２（ｂ）は屈曲時の断面図である。
【００３６】
図１０に示すように、第２実施形態に係るワイヤハーネスＷも、角部１及び隅部２を有する複雑形状の配索面Ａに設置されている。そして、ワイヤハーネスＷは、配索面Ａの角部１及び隅部２において屈曲されている。このワイヤハーネスＷの屈曲部Ｋ１では、配索材１１Ｈは、電線挿通孔１４の形成方向である長手方向に沿って、電線挿通孔１４の配列方向である幅方向と交差する方向へ屈曲されている。
【００３７】
このワイヤハーネスＷを構成する配索材１１Ｈは、例えば、ポリプロピレン樹脂（PP)等の硬質樹脂材料から成形された平板形状の板材であり、いわゆるプラスチック段ボールである。
【００３８】
図１１（ａ）に示すように、この配索材１１Ｈも、表裏の平面板部１２と、これらの平面板部１２の間に設けられた複数の隔壁部１３とを有しており、表裏の平面板部１２と各隔壁部１３とで囲われて一方向に配列された複数の電線挿通孔１４を有している。
【００３９】
この配索材１１Ｈには、屈曲部Ｋ１となる箇所に、長手方向に沿う複数の切り込み１７が一方の平面板部１２側から形成された屈曲可能部１６を有している。屈曲可能部１６の切り込み１７は、隔壁部１３に形成されており、隔壁部１３は、切り込み１７を形成することで分割されている。これにより、配索材１１Ｈは、屈曲可能部１６において、一方の平面板部１２が幅方向に分割され、他方の平面板部１２で幅方向に連結されている。
【００４０】
図１１（ｂ）に示すように、この配索材１１Ｈでは、屈曲可能部１６において、一方の平面板部１２が幅方向に分割されているので、切り込み１７の反対側を内側として容易に屈曲可能とされている。
【００４１】
図１２（ａ）に示すように、配索材１１Ｈの屈曲可能部１６としては、他方の平面板部１２へ向かって次第に窄まる断面視Ｖ字形状の切り込み１７を形成したものでも良い。このような断面視Ｖ字状の切り込み１７を形成した屈曲可能部１６を有する配索材１１Ｈでは、図１２（ｂ）に示すように、一方の平面板部１２が幅方向に分割され、その分割箇所に隙間が設けられているので、切り込み１７側を内側として容易に屈曲可能とされている。このような断面視Ｖ字状の切り込み１７を有する配索材１１Ｈでは、その切り込み１７の断面視における切り込み角を調整することで、屈曲可能部１６での屈曲角度を容易に調整できる。
【００４２】
このワイヤハーネスＷを配索面Ａに配索するには、予め屈曲可能部１６を形成した平面形状の配索材１１Ｈに対して、その電線挿通孔１４に電線２１を挿通させ、配索材１１Ｈと電線２１とからなるワイヤハーネスＷとする。次に、このワイヤハーネスＷを、配索面Ａに設置させる。すると、ワイヤハーネスＷは、配索材１１Ｈの屈曲可能部１６が配索面Ａの角部１及び隅部２の形状に合わせて長手方向に沿って幅方向と交差する方向へ屈曲されて屈曲部Ｋ１が形成される。これにより、ワイヤハーネスＷは、角部１及び隅部２を有する複雑形状の配索面Ａに沿って設置される。
【００４３】
また、このワイヤハーネスＷの場合も、配索材１１Ｈの屈曲可能部１６において、円弧状に屈曲させることで、断面視円形状の配索面Ａに対しても容易に設置することができる（図６参照）。
【００４４】
なお、ワイヤハーネスＷは、長手方向に沿って幅方向と交差する方向へ屈曲可能な屈曲可能部１６を配索材１１Ｈに設けるだけでなく、配索材１１Ｈの幅方向に間隔をあけて複数の切り込み１７を形成することで、幅方向に沿って長手方向と交差する方向へ屈曲可能な屈曲可能部１６を設けることも可能である。
【００４５】
図１３は、第２実施形態に係るワイヤハーネスの変形例を示す断面図である。
図１３に示すように、このワイヤハーネスＷは、配索材１１Ｈの長手方向に沿う屈曲可能部１６で屈曲させることで、屈曲部Ｋ１が形成されている。また、配索材１１Ｈは、その端部における一部が長手方向に沿って切断されて分割されており、分割された一方に、幅方向に沿って長手方向と交差する方向へ屈曲可能な屈曲可能部１６を設け、この屈曲可能部１６で屈曲させることで、屈曲部Ｋ２が形成されている。これにより、このワイヤハーネスＷでは、電線２１の配線の経路が電線２１の配列方向と交差する方向へ変更されている。
【００４６】
このように、第２実施形態に係るワイヤハーネスＷの場合も、配索面Ａの表面形状に追従して屈曲された屈曲部Ｋ１，Ｋ２が配索材１１Ｈに形成されるので、例えば、角部１や隅部２を有するような凹凸を有する複雑形状の配索面Ａに対しても容易に設置することができる。これにより、専用設備を用いて煩雑な作業で予め屈曲させることなく、平面以外の複雑形状の配索面Ａに容易に配線することができる。
【００４７】
また、配索材１１Ｈによって電線２１を保護して良好な品質を維持させることができ、しかも、電線２１を保護するための外装部材などを不要にでき、軽量化が図れる。また、粘着テープを貼り付けて電線２１を配列させたり、配列させた電線２１を樹脂で固定したものと比較して容易に解体することができる。
【００４８】
しかも、配索材１１Ｈが長手方向に沿って幅方向と交差する方向へ屈曲された屈曲部Ｋ１を有することで、電線２１の配列を配索面Ａの形状に沿って配列させることができる。また、配索材１１Ｈが幅方向に沿って長手方向と交差する方向へ屈曲された屈曲部Ｋ２を有することで、電線２１の経路を配索面Ａに沿わせることができ、また、電線２１の経路を変更して分岐させることもできる。これにより、配索面Ａの形状や配線経路等の状況に合わせた柔軟な配索が可能である。
【００４９】
特に、硬質樹脂材料から成形された配索材１１Ｈは、屈曲部Ｋ１，Ｋ２となる箇所に、複数の切り込み１７が間隔をあけて形成された屈曲可能部１６を有するので、配索材１１Ｈを配索面Ａに設置することで、配索材１１Ｈを配索面Ａの形状に追従させて屈曲可能部１６で屈曲させて無理なく設置させることができる。また、屈曲させる部分だけに切り込み１７を形成することで、屈曲範囲を規制することができる。
【００５０】
なお、この配索材１１Ｈも押出成形で成形されるので、安価に製造できるとともに、押出成形時の金型形状を変更することで、電線挿通孔１４の形状、大きさを容易に変更して電線２１のサイズ及びその組み合わせにも柔軟に対応することができ、また、切り込み１７の形成位置や形成数等を容易に選択することができる。また、押し出した後に切断して使用するので、長さを自由に設定できる。
【００５１】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５２】
ここで、上述した本発明に係るワイヤハーネスの実施形態の特徴をそれぞれ以下［１］〜［８］に簡潔に纏めて列記する。
［１］  表裏の平面板部（１２）と、前記表裏の平面板部（１２）の間に設けられる複数の隔壁部（１３）とを有し、前記表裏の平面板部（１２）と一対の隣接する隔壁部（１３）とで囲われて一方向に配列された複数の電線挿通孔（１４）が形成された配索材（１１Ｓ，１１Ｈ）と、前記配索材（１１Ｓ，１１Ｈ）の前記電線挿通孔（１４）に挿通されて並列された複数本の電線（２１）と、を備えるワイヤハーネス（Ｗ）であって、
前記配索材（１１Ｓ，１１Ｈ）は、配索面（Ａ）の表面形状に追従して屈曲された屈曲部（Ｋ１，Ｋ２）が形成される
ことを特徴とするワイヤハーネス。
［２］  前記配索材（１１Ｓ，１１Ｈ）は、前記電線挿通孔（１４）の形成方向に沿って前記電線挿通孔（１４）の配列方向と交差する方向へ屈曲された屈曲部（Ｋ１）及び前記電線挿通孔（１４）の配列方向に沿って前記電線挿通孔（１４）の形成方向と交差する方向へ屈曲された屈曲部（Ｋ２）の少なくとも一方を有する
ことを特徴とする上記［１］に記載のワイヤハーネス。
［３］  前記配索材（１１Ｓ）は、弾性変形可能な軟質樹脂材料から成形されている
ことを特徴とする上記［１］または［２］に記載のワイヤハーネス。
［４］  前記電線挿通孔（１４）が幅方向に分割され、これらの電線挿通孔（１４）を形成する前記隔壁部（１３）同士が前記電線挿通孔（１４）に沿う連結部（ブリッジ部１５）によって連結されている
ことを特徴とする上記［１］から［３］のいずれかに記載のワイヤハーネス。
［５］  前記電線（２１）が並列に一体化されたフラットケーブル（３１）の間に、前記配索材（１１Ｓ）が設けられ、前記フラットケーブル（３１）の間の電線（２１）が前記配索材（１１Ｓ）の電線挿通孔（１４）に挿通されている
ことを特徴とする上記［３］または［４］に記載のワイヤハーネス。
［６］  前記配索材（１１Ｈ）は、硬質樹脂材料から成形され、前記屈曲部（Ｋ１，Ｋ２）となる箇所に、複数の切り込み（１７）が間隔をあけて形成された屈曲可能部（１６）を有する
ことを特徴とする上記［１］または［２］に記載のワイヤハーネス。
［７］  前記切り込み（１７）は、屈曲方向の外側に形成されている
ことを特徴とする上記［６］に記載のワイヤハーネス。
［８］  前記切り込み（１７）は、屈曲方向の内側に形成され、屈曲方向の外側へ向かって次第に窄まる断面形状を有している
ことを特徴とする上記［６］に記載のワイヤハーネス。
【符号の説明】
【００５３】
１１Ｓ，１１Ｈ  配索材
１２  平面板部
１３  隔壁部
１４  電線挿通孔
１４ａ  幅広電線挿通孔（電線挿通孔）
１５  ブリッジ部（連結部）
１６  屈曲可能部
１７  切り込み
２１，２１ａ  電線
Ａ  配索面
Ｋ１，Ｋ２  屈曲部
Ｗ  ワイヤハーネス
【図１】
0006562759.tif 000002
【図２】
0006562759.tif 000003
【図３】
0006562759.tif 000004
【図４】
0006562759.tif 000005
【図５】
0006562759.tif 000006
【図６】
0006562759.tif 000007
【図７】
0006562759.tif 000008
【図８】
0006562759.tif 000009
【図９】
0006562759.tif 000010
【図１０】
0006562759.tif 000011
【図１１】
0006562759.tif 000012
【図１２】
0006562759.tif 000013
【図１３】
0006562759.tif 000014